(57)【要約】【課題】コストアップやスペースを増大することなく、シャッタ羽根室内部とシャッタ装置の外側部に飛散したゴミを捕獲することが可能となるシャッタ装置および撮像装置を提供すること。【解決手段】撮像素子（２０２）と、前記撮像素子の直前を走行する羽根部材（１１０）と、前記羽根部材の走行スペースを保持する２つの地板（１０１，１０２）と、を有するシャッタ装置において、前記地板の少なくとも一方に貫通穴部（１０２ａ）を設け、前記地板の羽根部材の走行面とは逆側から、両面に粘着部を有する部材（４００）で前記貫通穴部を塞いだことを特徴とする。【選択図】  図３
2015225193.tif 000002
【特許請求の範囲】
【請求項１】
撮像素子（２０２）と、
前記撮像素子の直前を走行する羽根部材（１１０）と、
前記羽根部材の走行スペースを保持する２つの地板（１０１，１０２）と、
を有するシャッタ装置（１００）において、
前記地板の少なくとも一方に貫通穴部（１０２ａ）を設け、
前記地板の羽根部材の走行面とは逆側から、両面に粘着部を有する部材（４００）で
前記貫通穴部を塞いだことを特徴とするシャッタ装置および撮像装置。
【請求項２】
前記羽根部材（１１０）は、
複数の羽根（１１０ａ，１１０ｂ，１１０ｃ，１１０ｄ）と、
２つのアーム部材（１１１ａ，１１１ｂ）と、
前記各羽根にアーム部材を回転可能にかしめられたカシメピン（１１２ａ，１１２ｂ）
から構成され、
前記羽根部材が走行動作を停止した際に、前記羽根部材と緩衝させる緩衝部材（１０３）
を有し、
前記地板に設けられた貫通穴部（１０２ｂ）は、前記羽根部材が前記緩衝部材に接触した部分に設けられることを特徴とする請求項１に記載のシャッタ装置および撮像装置。
【請求項３】
前記地板に設けられた貫通穴部（１０２ａ，１０２ｂ，１０２ｃ）は、羽根の走行軌跡に沿った円弧状長穴形状であることを特徴とする請求項１又は請求項２に記載のシャッタ装置および撮像装置。
【請求項４】
前記地板に設けられた貫通穴部（１０２ａ，１０２ｂ，１０２ｃ）は、
前記カシメピン（１１２ａ，１１２ｂ）の走行軌跡外に設けられ、
前記粘着部（４００）は、前記地板（１０２）より羽根走行面内に凸形状を有していることを特徴とする請求項１乃至請求項３の何れか一項に記載のシャッタ装置および撮像装置。
【請求項５】
前記撮像素子の表面に設けられた光学部材（２０１）と、
前記光学部材を保持する保持枠（２０４）と、を有し、
前記地板（１０２）に設けられた貫通穴部（１０２ａ，１０２ｂ，１０２ｃ）および粘着部（４００）は、
前記保持枠と、光軸方向で重複しない位置に配置されることを特徴とする請求項１乃至請求項４の何れか一項に記載のシャッタ装置および撮像装置。
【発明の詳細な説明】
【技術分野】
【０００１】
本発明は、撮像装置の異物捕獲構造に関し、特に、シャッタ動作により撮像素子に付着する異物を捕獲する構造を有する撮像装置に関するものである。
【背景技術】
【０００２】
従来、デジタルカメラ等の撮像素子を有する撮像装置において、撮像装置内で動作するミラーやシャッタで発生する摩耗粉や、レンズ交換の際に外部から侵入した異物が撮像素子に付着し、撮影画像に写りこんでしまう問題があった。
【０００３】
特に、撮像素子の近傍で走行するフォーカルプレンシャッタの羽根動作により、摩耗粉が飛散し、撮像面に付着する問題があった。
【０００４】
そこで、特許文献１には、露光用の開口部を有している２つの地板の間に羽根室を構成し、前記羽根室内でシャッタ羽根を走行させるシャッタ装置において、前記地板の少なくとも一方が複数の貫通孔によって網目状に形成されており、前記シャッタ羽根の走行面側に粘着部を有するフォーカルプレンシャッタが開示されている。
【０００５】
特許文献２には、露光用の開口部を有している２つの地板の間に羽根室を構成し、前記羽根室内でシャッタ羽根を走行させるシャッタ装置において、前記地板とシャッタ羽根が作動上接触しない面に各々粘着性を有する複数の粘着シートが重層して設けられおり、前記地板自体の最も外側の前記粘着シートから順次剥がせるようにしたことを特徴とするフォーカルプレンシャッタが開示されている。
【先行技術文献】
【特許文献】
【０００６】
【特許文献１】特許第３９６５３１４号明細書
【特許文献２】特開２００４−１６３４４９号公報
【発明の概要】
【発明が解決しようとする課題】
【０００７】
しかしながら、上述の特許文献１に開示された従来技術では、シャッタ羽根の走行面と対向する面に粘着部を設け、羽根室内に飛散したゴミを粘着部で捕獲する技術が開示されているが、シャッタ装置の外側に飛散したゴミを捕獲する構成ではないため、シャッタ羽根の動作によってシャッタ装置の外側に飛散したゴミが撮像素子の前面に設けられたガラス面等に付着してしまうという問題があった。
【０００８】
また、上述の特許文献２に開示された従来技術では、シャッタ羽根の走行面と対向する面と、シャッタ装置の外側にそれぞれ粘着部を設け、羽根室内に飛散したゴミと、シャッタ装置の外側に飛散したゴミを捕獲する技術画が開示されているが、それぞれの粘着部が別部品であり、コストアップとなってしまうという問題があった。
【０００９】
そこで、本発明の目的は、コストアップすることなく、シャッタ羽根室内部とシャッタ装置の外側部に飛散したゴミを捕獲することを可能にした撮像装置を提供することである。
【課題を解決するための手段】
【００１０】
上記目的を達成するために、本発明は、
撮像素子と、
前記撮像素子の直前を走行する羽根部材と、
前記羽根部材の走行スペースを保持する２つの地板と、
を有するシャッタ装置において、
前記地板の少なくとも一方に貫通穴部を設け、
前記地板の羽根部材の走行面とは逆側から、両面に粘着部を有する部材で
前記貫通穴部を塞いだことを特徴とするシャッタ装置および撮像装置である。
また、前記羽根部材は、複数の羽根と、２つのアーム部材と、前記各羽根にアーム部材を回転可能にかしめられたカシメピンから構成され、
前記羽根部材が走行動作を停止した際に、前記羽根部材と緩衝させる緩衝部材を有し、
前記地板に設けられた貫通穴部は、前記羽根部材が前記緩衝部材に接触した部分に設けられることを特徴とするシャッタ装置および撮像装置である。
また、前記地板に設けられた貫通穴部は、羽根の走行軌跡に沿った円弧状長穴形状であることを特徴とするシャッタ装置および撮像装置である。
【００１１】
また、前記地板に設けられた貫通穴部は、前記カシメピンの走行軌跡外に設けられ、
前記粘着部は、前記地板より羽根走行面内に凸形状を有していることを特徴とするシャッタ装置および撮像装置である。
【００１２】
また、前記撮像素子の表面に設けられた光学部材と、
前記光学部材を保持する保持枠と、を有し、
前記地板に設けられた貫通穴部および粘着部は、前記保持枠と、
光軸方向で重複しない面に配置されることを特徴とするシャッタ装置および撮像装置である。
【発明の効果】
【００１３】
本発明によれば、コストアップやスペースを増大することなく、シャッタ羽根室内部とシャッタ装置の外側部に飛散した摩耗粉を捕獲し、撮影画像に摩耗粉が写ってしまうことを防止することが可能となるシャッタ装置および撮像装置を提供することができる。
【図面の簡単な説明】
【００１４】
【図１】本発明の実施例である撮像装置の全体構成を示す概略図
【図２】実施例のシャッタ装置および撮像素子部の断面概略図
【図３】実施例１のシャッタ先羽根走行前を示す平面図
【図４】実施例１のシャッタ先羽根走行後を示す平面図
【図５】実施例１の断面詳細図
【図６】実施例２の構成を示す分解斜視図
【図７】実施例２の撮像素子前面の光学部材と押さえ枠の配置を示す平面図
【図８】実施例３の断面詳細図
【発明を実施するための形態】
【００１５】
以下に、本発明の撮像装置の実施の形態について図面を参照しながら説明する。本実施形態における撮像装置は、ＣＣＤやＭＯＳ型等の固体撮像素子を用いた電子スチルカメラに適用される。
【００１６】
図１は、実施の形態における電子スチルカメラの内部の全体構成を示す図である。図１において、２０は被写体像を結像面に結像させる撮影レンズであり、電子スチルカメラ本体１０に着脱可能に構成されている。この撮影レンズ２０は、被写体像を結像面に結像させる結像レンズであり、不図示のレンズ駆動装置、露出制御を行うための絞り羽根群、およびこの絞り羽根群を駆動する絞り駆動装置等から構成されている。
【００１７】
１１は、撮影レンズ２０により結像される被写体像をフォーカシングスクリーンに導くと共に、その一部を透過させ、サブミラー１２によって焦点検出装置１３に導くための主ミラーである。この主ミラー１１は、不図示のミラー駆動装置により、ファインダで被写体像を観察可能な位置、および撮影時に被写体光束の光路から待避する退避位置に可動自在である。
【００１８】
１４は、フォーカシングスクリーンに結像した被写体像を正立正像に変換して反射する光学部材である。本実施形態では、光学部材１４として、ペンタプリズムが使用される。
【００１９】
１５は、ペンタプリズム１４で正立正像に変換して反射された被写体像を撮影者の目に到達させる接眼レンズ装置である。
【００２０】
１６は、ファインダ観察時にフォーカシングスクリーンに結像した被写体像の輝度をペンタプリズム１４を介して測定する測光装置である。この測光装置１６の出力信号に基づき、露光時の露出制御を行う。
【００２１】
１２は、主ミラー１１で一部が透過した被写体光を反射し、ミラーボックス下面に配置された焦点検出装置１３に被写体光を導くサブミラーである。このサブミラー１２は、ミラー駆動機構によって主ミラー１１と連動し、主ミラー１１がファインダで被写体像を観察可能な位置にある場合、焦点検出装置１３に被写体光を導く位置、または、撮影時、被写体光束の光路から待避する退避位置に可動自在である。
【００２２】
１３は、焦点検出装置である。この焦点検出装置１３の出力信号に基づき、撮影レンズ２０のレンズ駆動装置が制御され、焦点調節が行われる。
【００２３】
１００は、被写体光束の結像面への入射を機械的に制御するシャッタ装置である。２００は、撮影レンズ２０により結像された被写体像を撮像して電気信号に変換する撮像素子部である。この撮像素子部２００には、ＣＣＤ型、ＭＯＳ型等の２次元型撮像デバイスが用いられている。
【００２４】
次に、撮影動作について説明する。撮影前、撮影レンズ２０から入射した被写体像は、主ミラー１１、ペンタプリズム１４、接眼レンズ１５を介して撮影者が確認できる状態となっていて、被写体像の一部はサブミラー１２を介して焦点検出装置１３に入射する。撮影者のスイッチ動作により、焦点検出装置にて検出された被写体距離情報により撮影レンズ２０のレンズ駆動が行われ、焦点を合わせることが可能となっている。また、測光装置１６にて被写体輝度を測定し、レンズ絞り値とシャッタ露出時間が決定される。
【００２５】
レリーズ動作により撮影が行われる際は、主ミラー１１およびサブミラー１２が撮影光路から上方へ退避し、シャッタ１００の羽根が開口し、撮像素子へ被写体像が入射する。適正露出時間が経過したのちシャッタ１００の羽根が画枠開口部を遮蔽し、主ミラー１１およびサブミラー１２が撮影光路内に復帰し、撮影動作が完了となる。
【００２６】
次に図２を用いて、シャッタ装置および撮像素子部材の配置構造について説明する。シャッタ装置１００は、被写体側の地板１０１と、撮像素子側の地板１０２でシャッタ羽根の走行スペースを規定される。シャッタ羽根は、それぞれ複数の羽根部材で構成される先羽根１１０および後羽根１２０の２組の羽根ユニットが備えられ、撮影前は、先羽根１１０により開口部は遮蔽され、後羽根１２０は開口部外に重畳されている。
撮像素子部材は、撮像素子部２０２と、その被写体側を塞ぐ光学部材２０１と、撮像素子部から信号を読み出す基板部２０３から構成される。
【００２７】
撮影動作が開始されると、開口部を複数の羽根で遮蔽していた先羽根１１０が、展開状態から重畳状態に移動し開口部を露出させる。所定の時間ののち、開口部外から後羽根１２０が、重畳状態から展開状態に移動し開口部を覆うことで露光動作が行われる。その後、再び先羽根１１０を展開状態に、後羽根１２０を重畳状態に移動させ一連の撮影動作が終了する。これらのシャッタ羽根の撮影動作の際、羽根部材の摺動摩耗粉３００が撮像素子側に飛散し、光学部材２０１の表面に付着してしまうことがある。また、シャッタ羽根の走行スペース内に飛散したり、地板１０２の表面、地板１０２と光学部材２０１との隙間に飛散してしまうことがある。
【００２８】
（実施例１）
図３、図４、図５を用いて、図２で示した摺動摩耗粉の好適な捕獲方法について説明する。図３、図４は、シャッタ装置を撮像素子側から見た平面図である。図３はシャッタ走行前の状態を示し、撮像素子側に開口部を覆う先羽根、被写体側に開口部から退避した後羽根が配置されている状態を示す。図４は露光撮影中の状態を示し、図３の状態から先羽根が走行し、開口部から退避した状態を示す。
【００２９】
地板１０２には、開口部の他に、複数の円弧状長穴１０２ａ、１０２ｂ、１０２ｃ、１０２ｄが設けられ、これらの穴部を撮像素子面側から両面に粘着部を有する粘着部材４００で塞いでいる。
【００３０】
開口部を覆う先羽根１１０は、４つの羽根１１０ａ、１１０ｂ、１１０ｃ、１１０ｄと、２つのアーム１１１ａ、１１１ｂ、および各アームと羽根を回転可能にかしめるかしめピン（１１２ａ、１１２ｂ等）とから構成される。
【００３１】
これら先羽根１１０は、１１３ａ、１１３ｂを回転軸とし、アーム１１１ａ、１１１ｂと各羽根による並行リンク機構を成し、不図示の駆動源によりアーム１１１ａに回転駆動力が付与されることにより、図３に示す開口部を羽根で覆う展開状態と、図４に示す開口部から退避した重畳状態となる。
【００３２】
後羽根１２０も先羽根と同様の構成を有しており、図３では撮影開口から退避した位置に重畳されている。
【００３３】
尚、通常、先羽根と後羽根が互いに衝突しないように、羽根走行スペースを分割する仕切り板が用いられるが、図３、図４では公知の構成として省略している。
【００３４】
これら羽根部材の走行は高速におこなわれ、停止時の衝撃力も大きいため、走行方向だけでなく、走行方向と垂直な方向にも大きく変位し、上述した各羽根およびアーム、かしめピン、更には地板との摺動により摩耗粉が生じる。
【００３５】
また、地板１０２に設けられた複数の円弧状穴部は、それぞれ目的が異なっている。穴部１０２ａは、最も移動量の大きい羽根１１０ａのかしめピン１１２ａ、１１２ｂが地板の裏面やアーム１１１ａ、１１１ｂと摺動した際に発生する摩耗粉を、羽根が閉じた際に粘着部材４００に付着させる穴部である。
【００３６】
穴部１０２ｂは、穴部１０２ａから捕獲できずに羽根先端部側へ飛散した摩耗粉や、羽根同士や不図示の仕切り板等と羽根が摺動して発生した摩耗粉を捕獲するための穴部である。
【００３７】
穴部１０２ｃは、羽根が閉じた際に、アーム１１１ａがゴム部材１０３に衝突した際に発生する摩耗粉を捕獲するための穴部である。
【００３８】
穴部１０２ｄは、羽根が展開された際に、かしめピンと地板の裏面やアームと摺動して発生した摩耗粉を捕獲するための穴部である。
【００３９】
上記各円弧状穴部の形状は、近傍部で回転移動するかしめピンの軌跡に沿った円弧形状を有していて、アーム部材の回転・停止動作に伴って発生する摩耗粉を、穴部から覗く粘着部材４００で捕獲しやすくなっている。
【００４０】
図５は、撮像面に対して垂直な面で切った断面概略図である。下から、羽根１１０、アーム１１１、かしめピン１１２、地板１０２、粘着部材４００、光学部材２０１となっている。２０４は光学部材を保持するための保持部材である。
【００４１】
図５の左右方向に羽根部材は走行し、左方向が撮影開口部である。羽根部材が羽根室内に移動し、地板１０２とかしめピン１１２ａ、１１２ｂが接触した際に発生する摩耗粉が羽根室内に飛散している様子を示している。
【００４２】
また、かしめピンとアーム１１１ａ、１１１ｂが摺動した際に発生する摩耗粉、羽根１１０とアーム１１１ａ、１１１ｂが摺動した際に発生した摩耗粉も飛散している様子を示している。
【００４３】
さらに、羽根が停止した際に、アーム１１１ａがゴム部材１０３と衝突した際に発生する摩耗粉も飛散している。
【００４４】
これら摩耗粉は、発生した近傍に設けられた地板の穴部１０２および穴部に設けられた粘着部材４００の内側面の粘着部により捕獲される。
【００４５】
また、捕獲されずに羽根部材に付着したままの摩耗粉や羽根室内に浮遊している摩耗粉が、羽根動作により撮影開口内に移動した際、または、撮影開口内から羽根室内に移動した際に、地板の外側に飛散する場合がある。
【００４６】
これらの摩耗粉は、地板の外側に設けた粘着部材４００の外側面の粘着部により捕獲することができる。また、レンズ交換の際などに光学部材２０１に付着したゴミがエアブローなどのゴミ除去操作により撮影開口部外に移動した際にも、地板の外側に設けた粘着部材４００の外側面の粘着部により捕獲することができる。
【００４７】
（実施例２）
図６、図７を用いて、実施例１で示したシャッタ装置を用いた撮像装置の好適な配置方法について説明する。図６は、シャッタ装置および撮像素子部を分解した斜視図である。
【００４８】
被写体側より、シャッタ羽根室を規定する被写体側の地板１０１、後羽根１２０、先羽根１１０、撮像側の地板１０２、地板１０２の撮像側に貼り付けられる両面に粘着部を有する粘着部材４００ａ、４００ｂ、光学部材２０１を保持する保持部材２０４、光学部材２０１、撮像素子２０２で構成される。
【００４９】
図７は、露光撮影中の状態を示し、先羽根が走行し、開口部から退避した状態を示す。
尚、通常、先羽根と後羽根が互いに衝突しないように、羽根走行スペースを分割する仕切り板が用いられるが、図６、図７では公知の構成として省略している。
【００５０】
実施例１で示した粘着部材４００がここでは２つに分割され、４００ａ、４００ｂで構成され、光学部材の保持部材２０４と光軸方向で重複しないように配置される。
【００５１】
図５で示した撮像面に対して垂直な面で切った断面概略図に、光学部材２０１と、保持部材２０４と、粘着部材４００ａ、４００ｂの配置を示す。
【００５２】
保持部材２０４は不図示の保持部材により、地板側と接触しないように一定の位置に固定され、地板１０２を含むシャッタ装置も不図示の固定部材に固定されているが、互いの隙間は狭く、地板１０２の撮像面側に粘着部材を配置することで、光学部材と貼り付いてしまう恐れがあった。
【００５３】
しかしながら、上記のように、粘着部材（４００ａ、４００ｂ）と光学部材の保持部材（２０４）とが光軸方向で重複しないように構成したことにより、粘着部材が保持部材に貼りついてしまうことなく、且つ、光軸方向に厚みを厚くすることなく実施例１で示した摩耗粉の捕獲構造を有することが可能となる。
【００５４】
また、落下等の衝撃により、地板１０２と光学部材２０１が接近した際には、保持部材２０４が地板１０２の粘着部材が無い場所に最初に接触することで、粘着部材４００と光学部材２０１の接触を防止するだけでなく、地板１０２の開口部に設けた曲げ形状も光学部材２０１に接触することはなく、光学部材２０１が破損することも防止できる。
【００５５】
（実施例３）
図８を用いて、実施例１、実施例２に対して、一部構成を変更した別の実施例について説明する。実施例１の図５で示した、撮像面に対して垂直な面で切った断面概略図に対し、異なる点のみ説明する。
【００５６】
地板１０２に設けた穴部１０２に、羽根室側に凸となる粘着部材４０１を設け、摩耗粉が好適に捕獲できるように構成している。また、粘着部が羽根室内に凸形状を有している範囲は、羽根のかしめピンの移動軌跡外であり、羽根部材、アーム部材とは接触しない高さに設定されているので、粘着部材４０１が羽根構成部材に接触し、羽根動作に支障をきたすことはない。
【００５７】
粘着部材４０１は、地板１０２に設けた粘着部材４００と互いに粘着させて保持させてもよいし、一体の部材として構成してもよい。
【００５８】
また、上記実施例では、粘着部は、両面テープ等の接着力を有する部材に限定されるものではなく、摩耗粉を捕獲・保持できる部材であれば適用できることは言うまでもない。例えば、表面に微細な凹凸を有する塗装面や、植毛紙のような部材でももちろん良い。
【００５９】
更に、上記実施例では、シャッタ装置の先羽根が撮像素子側に配置され、撮像装置の下方に退避する構造の例として説明したが、これらの構成に限定することはなく、後羽根が撮像素子側に配置された場合にももちろん適用できる。また、シャッタ装置の２つの地板の被写体側の地板に同様の構成を設け、被写体側に飛散する摩耗粉を捕獲する場合にも適用できる。
【００６０】
シャッタ羽根は先羽根、後羽根の２組である必要もなく、どちらか１つを備えたシャッタ装置にももちろん適用できる。
【００６１】
また、シャッタ装置ではなく、撮像素子の直前を移動するごみ取り装置等の移動体について適用してももちろん良い。
【００６２】
以上、本発明の好ましい実施形態について説明したが、本発明はこれらの実施形態に限定されず、その要旨の範囲内で種々の変形及び変更が可能である。
【符号の説明】
【００６３】
１０  カメラ本体、１１  主ミラー、１２  サブミラー、１３  焦点検出装置、
１４  ペンタプリズム、１５  接眼レンズ、１６  測光装置、２０  撮影レンズ、
１００  シャッタ装置、１０１  地板、１０２  地板、１０３  ゴム部材、
１１０  先羽根、１１１  アーム、１１２  かしめピン、１１３  回転軸、
１２０  後羽根、２００  撮像素子部、２０１  光学部材、２０２  撮像素子、
２０３  配線基板、２０４  保持部材、３００  摩耗粉、４００  粘着部材
【図１】
2015225193.tif 000003
【図２】
2015225193.tif 000004
【図３】
2015225193.tif 000005
【図４】
2015225193.tif 000006
【図５】
2015225193.tif 000007
【図６】
2015225193.tif 000008
【図７】
2015225193.tif 000009
【図８】
2015225193.tif 000010